(57)【要約】【課題】粒体の落下速度のバラつきを予防したり、粒体の落下速度の低減を予防することで、送風機から直播管に効率よく風を送ることが可能な直播管及び直播管を備えた湛水直播装置を提供することにある。【解決手段】本発明に係る直播管１６は、湛水田に粒体を直播する湛水直播装置１０に設けられ、上記粒体を受け入れる受け入れ口から一方向に向かって形成された第１の直軸区間１６ａと、上記第１の直軸区間１６ａに連通して上記第１の直軸区間１６ａから二股に分かれて配置され、上記第１の直軸区間１６ａに対して斜めに向かって形成された第２の直軸区間１６ｂと、上記第２の直軸区間１６ｂに連通して配置され、上記第２の直軸区間１６ｂに対して斜めに向かって形成された第３の直軸区間１６ｃと、を有し、上記第２の直軸区間１６ｂは、管上流側から管下流側にかけて管内径を絞って形成され、上記第２の直軸区間１６ｂの絞り率より上記第３の直軸区間１６ｃの絞り率が大きく形成されて構成されている。【選択図】図３
2011167111.tif 000002
【特許請求の範囲】
【請求項１】
湛水田に粒体を直播する湛水直播装置に設けられた直播管であって、
前記粒体を受け入れる受け入れ口から一方向に向かって形成された第１の直軸区間と、
前記第１の直軸区間に連通して前記第１の直軸区間から二股に分かれて配置され、前記第１の直軸区間に対して斜めに向かって形成された第２の直軸区間と、
前記第２の直軸区間に連通して配置され、前記第２の直軸区間に対して斜めに向かって形成された第３の直軸区間と、を有し、
前記第２の直軸区間は、管上流側から管下流側にかけて管内径を絞って形成され、前記第２の直軸区間の絞り率より前記第３の直軸区間の絞り率が大きく形成されたこと、
を特徴とする直播管。
【請求項２】
前記第１及び第３の直軸区間は、同一方向に沿って形成されること、
を特徴とする請求項１記載の直播管。
【請求項３】
前記第３の直軸区間の管内径は、同一に形成されること、
を特徴とする請求項１又は２記載の直播管。
【請求項４】
前記第１の直軸区間、前記第２の直軸区間及前記第３の直軸区間の各連通部が、円弧状をなして形成されること、
を特徴とする請求項１から３の何れか１項に記載の直播管。
【請求項５】
走行機体の後方に設けられ、湛水田に粒体を直播する湛水直播装置であって、
前記粒体を収容する収容部と、
前記収容部に設けられ、前記粒体を繰り出す繰り出し部材と、
前記繰り出し部材に連通して配置され、前記粒体を搬送する搬送管と、
前記搬送管の管上流側に連通して配置され、前記搬送管に送風する送風機と、
前記搬送管の管下流側に連通して配置され、前記送風機から前記搬送管に送風された風圧により前記粒体を前記湛水田に直播する直播管と、を備え、
前記直播管は、前記粒体を受け入れる受け入れ口から一方向に向かって形成された第１の直軸区間と、
前記第１の直軸区間に連通して前記第１の直軸区間から二股に分かれて配置され、前記第１の直軸区間に対して斜めに向かって形成された第２の直軸区間と、
前記第２の直軸区間に連通して配置され、前記第２の直軸区間に対して斜めに向かって形成された第３の直軸区間と、を有し、
前記第２の直軸区間は、管上流側から管下流側にかけて管内径を絞って形成され、前記第２の直軸区間の絞り率より前記第３の直軸区間の絞り率が大きく形成されたこと、
を特徴とする湛水直播装置。
【請求項６】
前記第１及び第３の直軸区間は、鉛直方向に沿って形成されること、
を特徴とする請求項５記載の湛水直播装置。
【請求項７】
前記第３の直軸区間の管内径、同一に形成されること、
を特徴とする請求項５又は６記載の湛水直播装置。
【請求項８】
前記第１の直軸区間、前記第２の直軸区間及前記第３の直軸区間の各連通部が、円弧状をなして形成されること、
を特徴とする請求項５から７の何れかい１項に記載の湛水直播装置。
【発明の詳細な説明】
【技術分野】
【０００１】
本発明は、湛水田に粒体を直播するための直播管及び直播管を備えた湛水直播装置に関する。
【背景技術】
【０００２】
従来、湛水直播装置では、湛水田に粒体を直播する方法として散播、点播、条播などの方法が知られている。そして、その中でも散播が最も良い作業効率であることが知られている。
【０００３】
しかしながら、散播の場合、湛水田のような不安定な作業環境で粒体を均一に直播することが困難であるとともに、覆土も行えないため、点播、条播などに比べると、初期生育が不安定であり、直播後の管理も困難である。
【０００４】
一方、点播、条播などの場合、作業幅を広げることが困難であるため、大幅な省力、低コスト化を期待することができない。
【０００５】
近年、湛水直播装置では、大幅な省力化、低コスト化が求められており、散播と同様の作業効率で、且つ、条播、点播などと同様の初期生育を得ること可能な技術が求められている。
【０００６】
例えば、特許文献１には、種子収納ホッパーに収容された種子を繰り出しロールにより送風管に繰り出し、送風管及びこの送風管に連通して配置された種子播き管に送風機から風を送ることで、種子播き管から湛水田に種子を直播する帯状湛水直播装置に関する技術が開示されている。
【先行技術文献】
【特許文献】
【０００７】
【特許文献１】特開平１０−５６８２４号公報
【発明の概要】
【発明が解決しようとする課題】
【０００８】
ところで、上記特許文献１は、種子播き管の形状に関して考慮されておらず、特に種子播き管の吐出口の形状に関して考慮されていないため、送風機から種子播き管に効率よく風を送ることについて改善の余地があるという技術的課題がある。
【０００９】
ここで、図８に例示した従来の形状の一例である種子播き管３６は、吐出口の内径を絞ることで、吐出口近傍の風速を高め、湛水田に条を形成させるとともに種子を埋没させることが可能であると考えられるが、上記従来の一例である種子播き管３６は、吐出口の内径を絞ることで、粒体が吐出口を通過する際、管内周面に衝突し易くなり、粒体の落下速度にバラつきが生じてしまうという技術的課題がある。
【００１０】
また、上記従来の一例である種子播き管３６は、粒体が吐出口を通過する際、管内周面に衝突し易くなることで、粒体の落下速度にバラつきが生じてしまうばかりか、粒体の落下速度を低減させてしまうという技術的課題がある。
【００１１】
そして、上記従来の一例である種子播き管３６は、吐出口の内径を絞ることで、吐出口に粒体がつまり易くなるとともに、管内周面に衝突し易くなることで、管内周面に粒体を被覆している被覆材を付着させてしまうという技術的課題がある。
【００１２】
また、上記従来の一例である種子播き管３６は、吐出口の内径を絞ることで、吐出口近傍と他の部位、特に管上流側とで顕著な風速差が生じてしまい、これにより、種子収容ホッパーから搬送管に粒体を落下させる際、落下させる方向とは反対方向、すなわち、上方向に静圧がかかってしまうため、繰り出し部に粒体を詰まらせてしまうという技術的課題がある。
【００１３】
以上のように、上記特許文献１及び従来の一例である種子播き管３６は、送風機から種子播き管３６に効率よく風を送るために改善の余地があり、これに伴い、送風機への負担を増大させてしまうという技術的課題がある。
【００１４】
本発明の目的は、上記従来の実状を鑑みて、粒体の落下速度のバラつきを予防したり、粒体の落下速度の低減を予防することで、送風機から直播管に効率よく風を送ることが可能な直播管及び直播管を備えた湛水直播装置を提供することにある。
【課題を解決するための手段】
【００１５】
上記課題を解決するために、本発明に係る直播管は、湛水田に粒体を直播する湛水直播装置に設けられ、上記粒体を受け入れる受け入れ口から一方向に向かって形成された第１の直軸区間と、上記第１の直軸区間に連通して上記第１の直軸区間から二股に分かれて配置され、上記第１の直軸区間に対して斜めに向かって形成された第２の直軸区間と、上記第２の直軸区間に連通して配置され、上記第２の直軸区間に対して斜めに向かって形成された第３の直軸区間と、を有し、上記第２の直軸区間は、管上流側から管下流側にかけて管内径を絞って形成され、上記第２の直軸区間の絞り率より上記第３の直軸区間の絞り率が大きく形成されて構成されている。
【００１６】
上記課題を解決するために、本発明に係る湛水直播装置は、走行機体の後方に設けられ、湛水田に粒体を直播し、上記粒体を収容する収容部と、上記収容部に設けられ、上記粒体を繰り出す繰り出し部材と、上記繰り出し部材に連通して配置され、上記粒体を搬送する搬送管と、上記搬送管の管上流側に連通して配置され、上記搬送管に送風する送風機と、上記搬送管の管下流側に連通して配置され、上記送風機から上記搬送管に送風された風圧により上記粒体を上記湛水田に直播する直播管と、を備え、上記直播管は、上記粒体を受け入れる受け入れ口から一方向に向かって形成された第１の直軸区間と、上記第１の直軸区間に連通して上記第１の直軸区間から二股に分かれて配置され、上記第１の直軸区間に対して斜めに向かって形成された第２の直軸区間と、上記第２の直軸区間に連通して配置され、上記第２の直軸区間に対して斜めに向かって形成された第３の直軸区間と、を有し、上記第２の直軸区間は、管上流側から管下流側にかけて管内径を絞って形成され、上記第２の直軸区間の絞り率より上記第３の直軸区間の絞り率が大きく形成されて構成されている。
【発明の効果】
【００１７】
本発明によれば、粒体の落下速度のバラつきを予防したり、粒体の落下速度の低減を予防することで、送風機から直播管に効率よく風を送ることが可能な直播管及び直播管を備えた湛水直播装置を提供することができる。
【図面の簡単な説明】
【００１８】
【図１】本発明の一実施の形態である湛水直播装置の構成を左側方から模式的に示す側面図である。
【図２】本発明の一実施の形態である湛水直播装置の構成を後方から模式的に示す背面図である。
【図３】本発明の一実施の形態である湛水直播装置の直播管の構成を模式的に示す平面図である。
【図４】本発明の一実施の形態である湛水直播装置の直播管及び従来の直播管の形状を示す図である。
【図５】本発明の一の実施の形態の変形例１である直播管の構成を模式的に示す平面図である。
【図６】本発明の一実施の形態である直播管を用いた場合における繰り出し部材の下方の圧力を示す表である。
【図７Ａ】本発明の一実施の形態である直播管を用いた場合における粒体の落下速度を示すグラフである。
【図７Ｂ】従来の直播管を用いた場合における粒体の落下速度を示すグラフである。
【図８】従来の直播管の構成を模式的に示す平面図である。
【発明を実施するための形態】
【００１９】
以下、図面を参照しながら、本発明の実施の形態について詳細に説明する。
まず、本発明の一実施の形態の湛水直播装置について図１及び図２を用いて説明する。図１は、本発明の一実施の形態である湛水直播装置１０の構成を左側方から模式的に示す側面図であり、図２は、本発明の一実施の形態である湛水直播装置１０の構成を後方から模式的に示す背面図であり、図３は、本発明の一実施の形態である湛水直播装置１０の直播管１６の構成を模式的に示す平面図である。
【００２０】
図１及び図２に例示されるように、本実施の形態において、湛水直播装置１０は、フレーム１１によって乗用管理機などの走行機体９の後方に着脱可能に設けられている。なお、本実施の形態の湛水直播装置１０は、走行機体９に着脱可能に設けられたものであるが、これに限定されず、例えば、走行機体９に一体に取り付けられる専用車としてもよい。
【００２１】
本実施の形態の湛水直播装置１０は、粒体を収容するホッパー（収容部）１２と、ホッパー１２の粒体排出側に配置され、粒体を繰り出す繰り出しロール（繰り出し部材）１３と、繰り出しロール１３に連通して配置され、粒体を搬送するためのフレキシブル管（搬送管）１４と、フレキシブル管１４の管上流側に連通して配置され、ブロア（送風機）の風をフレキシブル管１４に送風するための送風管１５と、フレキシブル管１４の管下流側に連通して配置され、ブロアの風により粒体を湛水田に直播するための直播管１６とを備えて構成されている。
【００２２】
フレーム１１の上部には、走行機体９の幅方向に沿って複数のホッパー１２が配置されている。ホッパー１２は、上述したように、粒体を収容する役目を果たしている。そして、各ホッパー１２の粒体排出側である底部には、粒体を繰り出す繰り出しロール１３が配置されている。
【００２３】
繰り出しロール１３は、上述したように、粒体をフレキシブル管１４に繰り出す役目を果たしている。具体的には、繰り出しロール１３は、図示しないモータによって回転する断面形状が星型の回転軸を有している。この回転軸は、粒体を傷つけない適度の硬度をもつゴム材や硬質合成樹脂などの素材により形成されている。そして、各繰り出しロール１３の粒体排出側には、粒体を直播管１６に搬送するためのフレキシブル管１４が着脱可能に設けられており、回転軸の回転数を調整して粒体をフレキシブル管１４に繰り出している。
【００２４】
フレキシブル管１４は、上述したように、粒体を搬送する役目を果たしている。具体的には、フレキシブル管１４は、可撓性を有する素材を用いている。なお、本実施の形態では、粒体を搬送する搬送管としてフレキシブル管を用いているが、粒体を搬送するためのものであれば、フレキシブル管に限定されず、例えば、鋼管などを用いても良い。
【００２５】
フレキシブル管１４の管上流側は、ブロア１８からの風を送風するための送風管１５に着脱可能に接続されている。送風管１５は、走行機体９の幅方向に沿って延設して配置されている。そして、送風管９には、フレキシブル管１４に接続させるための複数の接続孔が形成されている。すなわち、フレキシブル管１４は、送風管１５の複数の接続孔に接続され、ブロア１８からの風が送風管１５を介して送りこまれている。
【００２６】
ブロア１８は、図示しないスプロケット、ベルト又はチェーンなどを介して走行機体９の図示しないＰＴＯに接続する入力ミッションに接続されている。そして、ブロア１８は、ＰＴＯの回転力により回転駆動する。
【００２７】
一方、フレキシブル管１４の管下流側には、直播管１６が着脱可能に接続されている。具体的には、直播管１６は、フレーム１１から走行機体９の後方に張り出して配置され、フレーム１１に連結固定された張り出し板１７に着脱可能に固定されている。そして、張り出し板１７には、直播管１６を挿通させる孔が形成されている。すなわち、直播管１６は、この直播管１６を張り出し板１７の孔に挿通してキャップ１９により上方から固定することで、張り出し板１７に着脱可能に固定されている。
【００２８】
また、本実施の形態では、一つのフレキシブル管１４に二つの直播管１６が接続されている。そして、直播管１６は、各々の直播管１６を走行機体９の幅方向に沿って配されている。このように、本実施の形態では、直播管１６が最大で１６本、走行機体９の幅方向に沿って配され、播種の作業幅を広げることが可能となっている。
【００２９】
本実施の形態の直播管１６は、この直播管１６を正面視すると、逆Ｙ字形状をなして形成されている。具体的には、図３に例示されるように、直播管１６は、粒体を受け入れるための受け入れ口から鉛直方向に沿って形成された第１の直軸区間１６ａと、この第１の直軸区間１６ａに連通して、第１の直軸区間１６ａから二股に分かれて配置され、鉛直方向に沿って形成された第２の直軸区間１６ｂと、この第２の直軸区間１６ｂに連通して配置され、第１の直軸区間１６ａと同方向に沿って形成された第３の直軸区間１６ｃとを有して形成されている。
【００３０】
また、直播管１６の下端部は、開口して形成されている。すなわち、直播管１６には、ブロア１８からの風が送風管１５、フレキシブル管１４を介して送られており、直播管１６は、この風により湛水田に粒体を吐出する役目を果たしている。
【００３１】
本実施の形態において、直播管１６は、第２の直軸区間１６ｂの管内径を管上流側から管下流側にかけて絞って形成されるとともに、第３の直軸区間１６ｃの管内径の絞り率を第２の直軸区間１６ｂの絞り率より小さくして形成されている。
【００３２】
以下、本実施の形態の直播管１６の形状の一例について、従来の直播管３６の形状と対比して図４を用いて説明する。図４は、本発明の一実施の形態である湛水直播装置１０の直播管１６及び従来の直播管３６の形状を示す図である。図４に例示されるように、本実施の形態の直播管１６の第１の直軸区間１６ａは、粒体を受け入れる受け入れ口から０ｍｍ〜２００ｍｍの間を区画し、管内半径が１５ｍｍで形成されている。したがって、第１の直軸区間１６ａでは、断面積が７０６．８６ｍｍ２となる。
【００３３】
第２の直軸区間１６ｂは、受け入れ口から２００ｍｍ〜４９０ｍｍの間を区画し、管内径が１５ｍｍから１０ｍｍに絞って形成されている。この絞り率は、以下の数式１により求められる。例えば、受け入れ口からの距離が３００ｍｍの位置では、管内半径が１３．２８ｍｍで形成されている。したがって、受け入れ口からの距離が３００ｍｍの位置では、５５３．７０ｍｍ２となる。
［数１］
絞り率＝ｒ１−Ｌ１×（（ｒ１−ｒ２）／Ｌ２）
粒体受け入れ口の管内半径：ｒ１（ｍｍ）
粒体排出口の管内半径：ｒ２（ｍｍ）
絞り区間始点からの距離：Ｌ１（ｍｍ）
絞り区間：Ｌ２（ｍｍ）
【００３４】
第３の直軸区間１６ｃは、受け入れ口から４９０ｍｍ〜６００ｍｍ（吐出口）の間を区画し、管内径が１０ｍｍで形成されている。したがって、第３の直軸区間１６ｃでは、断面積が３１４．１６ｍｍ２となる。
【００３５】
なお、本実施の形態の直播管１６の第３の直軸区間１６ｃは、受け入れ口から４９０ｍｍ〜６００ｍｍの間で同一の管内径で形成されているが、この形状に限定されず、第３の直軸区間１６ｃの絞り率が第２の直軸区間１６ｂの絞り率より小さく形成されていれば良い。
【００３６】
このように、本実施の形態の直播管１６によれば、第３の直軸区間１６ｃの絞り率を第２の直軸区間１６ｂの絞り率より小さくしたため、粒体が吐出口を通過する際、管内周面に衝突し難くなり、粒体の落下速度のバラつきを予防することが可能になり、安定して一定量の直播を行うことができる。
【００３７】
また、本実施の形態の直播管１６によれば、第２鉛直区間１６ｃの絞り率を第２の直軸区間１６ｂの絞り率より小さくした、すなわち、吐出口近傍を絞らないことで、粒体が吐出口を通過する際、管内周面に衝突し難くなることで、粒体の落下速度のバラつきを予防するとともに、粒体の落下速度の低下を予防することができる。
【００３８】
そして、本実施の形態の直播管１６によれば、吐出口近傍を絞らないことで、粒体が吐出口を通過する際、吐出口近傍での粒体のつまりを軽減させることができるとともに、粒体が吐出口近傍を通過する際、管内周面に衝突し難くなることで、管内周面に粒体を被覆している被覆材の付着を予防することができる。
【００３９】
また、本実施の形態の直播管１６によれば、管内径を絞る絞り区間長を長くすることで、吐出口近傍と他の部位、特に管上流側とで顕著な風速差を軽減させ、これにより、ホッパー１２からフレキシブル管１４に粒体を落下させる際、落下させる方向とは反対方向、すなわち、上方向への静圧を軽減させて、繰り出し部の粒体の詰まりを予防することができる。
【００４０】
以上のように、本実施の形態の直播管１６によれば、第３の直軸区間１６ｃの絞り率を第２の直軸区間１６ｂの絞り率より小さくしたため、送風機から直播管１６に効率よく風を送ることが可能になり、これにより、送風機への負担を軽減させることができる。
【００４１】
（変形例１）
次に、本発明の一実施の形態の変形例１である直播管２６について図５を用いて説明する。図５は、本発明の一実施の形態の変形例である直播管２６の構成を模式的に平面図である。変形例１では、直播管２６の第１の直軸区間２６ａ、第２の直軸区間２６ｂ及び第３の直軸区間２６ｃの各連通部を円弧形状に形成した点が異なり、他の構成は同様である。したがって、他の構成については説明を省略する。
【００４２】
図５に例示されるように、変形例１の直播管２６では、この直播管２６の第１の直軸区間２６ａ、第２の直軸区間２６ｂ及び第３の直軸区間２６ｃの各連通部が円弧形状をなして形成されている。
【００４３】
このように、各連通部が円弧形状をなして形成されることで、粒体を管内周面になるべく衝突させずに、管内を通過させることが可能になるので、粒体の表面を被覆する被覆材を保護することができる。
【００４４】
なお、湛水直播装置１０の下方には、轍消しロール２１が設けられている。轍消しロール２１は、走行機体９に牽引されることで、回転可能に設けられている。すなわち、轍消しロール２１は、この轍消しロール２１を回転させるための動力を必要としないため、動力源を用いることなく構成されている。なお、本実施の形態の轍消しロールは、走行機体に着脱可能に設けられているが、例えば、湛水直播装置に着脱可能に設けても良い。
【００４５】
次に、本実施の形態の湛水直播装置の動作及び作用について図１乃至図７Ｂを用いて説明する。図６は、本発明の一実施の形態である直播管１６を用いた場合における繰り出しロール１３の下方の圧力を示す表であり、図７Ａは、本発明の一実施の形態である直播管１６を用いた場合における粒体の落下速度を示すグラフであり。図７Ｂは、従来の直播管３６を用いた場合における粒体の落下速度を示すグラフである。
【００４６】
図１及び図２に例示されるように、ホッパー１２に収容された粒体である種子又は肥料は、ホッパー１２の排出側である底部に設けられた繰り出しロール１３により調整された適量がフレキシブル管１４の中へ連続的に送り込まれる。このとき、送り込まれる量は、ブロア１８の送風速度などを考慮して繰り出しロール１３の回転軸の回転数を調整する。
【００４７】
そして、フレキシブル管１４には、ブロア１８からの風がフレキシブル管１４内に送られており、フレキシブル管１４の中に送り込まれた粒体はその風力によって、管下流側に流れていく。
【００４８】
フレキシブル管１４内を流れる粒体は、さらにフレキシブル管１４の管下流側である直播管１６に入り、直播管１６の開口部から下方に吹き出され湛水田の表面に勢いよく直播される。
【００４９】
このとき、図３に例示されるように、本実施の形態の直播管１６は、第３の直軸区間１６ｃの絞り率を第２の直軸区間１６ｂの絞り率より小さくしたため、吐出口近傍での粒体のつまりを軽減させることが可能になるので、送風機から直播管１６に効率よく風を送ることができるとともに、送風機への負担を軽減させることができる。
【００５０】
また、本実施の形態の直播管１６によれば、第２鉛直区間１６ｃの絞り率を第２の直軸区間１６ｂの絞り率より小さくした、すなわち、吐出口近傍を絞らないことで、粒体が吐出口近傍を通過する際、管内周面に衝突しにくくなり、粒体の落下速度の低減を予防することができるとともに、管内周面に粒体を被覆している被覆材の付着を予防することができる。
【００５１】
また、図６に例示されるように、本実施の形態の直播管１６によれば、繰り出しロール１３とフレキシブル管１４との接続部の圧力が−２０ｍｍＡｑとなる。したがって、本実施の形態に直播管１６によれば、管内径を絞る絞り区間長を長くすることで、吐出口近傍と他の部位、特に管上流側とで顕著な風速差を軽減させ、これにより、ホッパー１２からフレキシブル管１４に粒体を落下させる際、落下させる方向とは反対方向、すなわち、上方向への静圧を軽減させて、繰り出し部の粒体の詰まりを予防することができる。
【００５２】
また、図７Ａに例示されるように、本実施の形態の直播管１６によれば、粒体の落下速度が２ｍ／ｓ〜６ｍ／ｓの間でまとまっている。一方、図７Ｂに例示されるように、従来の直播管３６では、粒体の落下速度にバラつきがあることがわかる。したがって、本実施の形態の直播管１６によれば、粒体の落下速度のバラつきをなくすことができ、安定して一定量の直播を行うことができる。
【００５３】
このように、本実施の形態の直播管１６によれば、送風機から直播管に効率よく風を送ることで、直播管内での粒体の滞留を軽減させるとともに、送風機への負担を軽減させることができる。
【符号の説明】
【００５４】
９      走行機体
１０      湛水直播装置
１１      フレーム
１２      ホッパー
１３      繰り出しロール
１４      フレキシブル管
１５      送風管
１６      直播管
１６ａ    第１の直軸区間
１６ｂ    第２の直軸区間
１６ｃ    第３の直軸区間
１８      ブロア
【図１】
2011167111.tif 000003
【図２】
2011167111.tif 000004
【図３】
2011167111.tif 000005
【図４】
2011167111.tif 000006
【図５】
2011167111.tif 000007
【図６】
2011167111.tif 000008
【図７Ａ】
2011167111.tif 000009
【図７Ｂ】
2011167111.tif 000010
【図８】
2011167111.tif 000011